(57)【要約】【課題】  使用者に水補給の手間を強いることなく、乾燥等の結露水が生じ難い時間帯であっても継続的に使用することの可能な静電霧化装置を提供する。【解決手段】  静電霧化装置を、毛細管現象によって水を搬送する水搬送部１１と、吸熱面８上で空気を冷却して生成した結露水を水搬送部１１に供給する熱交換部４と、水搬送部１１が搬送する水に対して電圧を印加する印加電極２１と、印加電極２１に高電圧を印加する高電圧印加部１４とで構成し、熱交換部４で生成した結露水を蓄えて水搬送部１１に供給する保水部を備える。【選択図】図１
2007181834.tif 000002
【特許請求の範囲】
【請求項１】
毛細管現象によって水を搬送する水搬送部と、水搬送部に水を供給する水供給部と、水搬送部が搬送する水に対して電圧を印加する印加電極と、印加電極に高電圧を印加することで水搬送部の先端部にて水を霧化させる高電圧印加部とを備えた静電霧化装置において、上記水供給部が、吸熱面を有するとともに該吸熱面上で空気を冷却して結露水を生成する熱交換部であり、該熱交換部で生成した結露水を蓄えて水搬送部に供給する保水部を備えたことを特徴とする静電霧化装置。 
【発明の詳細な説明】
【技術分野】
【０００１】
本発明は、ナノイオンミストを発生させる静電霧化装置に関するものである。
【背景技術】
【０００２】
静電霧化装置とは、毛細管現象によって水を搬送する水搬送部と、水搬送部に水を供給する水供給部と、水搬送部が搬送する水に対して電圧を印加する印加電極と、水搬送部と対向して位置する対向電極と、印加電極と対向電極との間に高電圧を印加する高電圧印加部とを備え、高電圧印加部により印加される高電圧によって、水搬送部の先端に保持される水を対向電極に向けて霧化させ、ナノサイズで強い電荷を持つミストであるナノイオンミストを発生させるものである（特許文献１参照）。ナノイオンミストの粒径は１〜数十ｎｍ程度であって、人体の角質細胞の大きさである７０ｎｍよりも小さな粒径であるため、このナノイオンミストの暴露により角質層表面の奥までも水分が十分に補給されて、高い保湿効果が得られるものである。
【０００３】
しかしながら、上記した従来の静電霧化装置は、水搬送部に水分を供給するための水供給部として水タンクを備えた構造であることから、この水タンク内に水が所定量以上満たされるように水を補給し続ける必要があり、使用者には継続的な水補給の手間が要求されるものであった。また、従来の静電霧化装置においては、水タンクに補給する水が、水道水のようなＣａ，Ｍｇ等の不純物を含む水であった場合には、この不純物が空気中のＣＯ２と反応して水搬送部の先端部にＣａＣＯ３やＭｇＯ等を析出付着させ、ナノイオンミストの発生を妨げることがあった。このため、使用者にはＣａＣＯ３やＭｇＯ等の付着物を取り除く定期的なメンテナンスが要求されるものであった。
【特許文献１】特許第３２６０１５０号公報
【発明の開示】
【発明が解決しようとする課題】
【０００４】
本発明は上記問題点に鑑みて発明したものであって、使用者に水補給の手間や付着物除去の手間を強いることなく、乾燥等の結露水が生じ難い時であっても継続的に使用することの可能な静電霧化装置を提供することを課題とするものである。
【課題を解決するための手段】
【０００５】
上記課題を解決するために本発明を、毛細管現象によって水を搬送する水搬送部１１と、水搬送部に水を供給する水供給部２０と、水搬送部２０が搬送する水に対して電圧を印加する印加電極２１と、印加電極２１に高電圧を印加することで水搬送部１１の先端部１１ａにて水を霧化させる高電圧印加部１４とを備えた静電霧化装置において、上記水供給部２０が、吸熱面８を有するとともに該吸熱面８上で空気を冷却して結露水Ｄを生成する熱交換部４であり、該熱交換部４で生成した結露水を蓄えて水搬送部１１に供給する保水部４０を備えたことを特徴としたものとする。このように、水搬送部１１に供給するための水が、吸熱面８上での結露水Ｄとして自動的に採取される構造とすることで、使用者が面倒な水補給を行わずとも、水搬送部１１の先端部１１ａでレイリー分裂により継続的にナノイオンミストＭを発生させることができる。また、結露水Ｄは水道水のようにＣａやＭｇを含まないので水搬送部１１の先端部１１ａで付着物が生じることもなく、面倒なメンテナンスを行う必要もない。加えて、保水部４０を備えたことで、乾燥した昼間等の結露水Ｄが生じ難い時間帯であっても、結露水Ｄが多く生成される時間帯に蓄えておいた結露水Ｄを用いて、継続的にナノイオンミストＭを発生させることができる。
【発明の効果】
【０００６】
本発明は、使用者に水補給の手間や付着物除去の手間を強いることなく、乾燥等の結露水が生じ難い時であっても継続的に使用することができるという効果を奏する。
【発明を実施するための最良の形態】
【０００７】
以下、本発明を添付図面に示す実施形態に基いて説明する。図１〜図３には、本発明の実施の形態における第１例の静電霧化装置を示している。本例の静電霧化装置の外殻を成す本体ケース１０は、四角筒状のミスト発生ケース１と、これに連通接続される同じく四角筒状の送風ケース２とで形成されている。送風ケース２のミスト発生ケース１との接続側には熱交換部配置口３を開口させており、この熱交換部配置口３に熱交換部４を嵌合させている。熱交換部４は、半導体電子熱交換素子であるペルチェ素子５の吸熱側に吸熱板６を接続させるとともに該ペルチェ素子５の放熱側にフィン形状の放熱板７を接続させて形成したものであり、吸熱板６の空気と接触する側の平坦な外表面が、熱交換部４の結露水Ｄを生じる吸熱面８となり、放熱板７の空気と接触する側の外表面が、熱交換部４の放熱面９となっている。上記の吸熱板６や放熱板７は、アルミニウム等の熱伝導性の高い材料を用いて形成したものである。なお、ペルチェ素子５は水に弱いので、結露水Ｄがペルチェ素子５にまで浸入することを防止するために、吸熱板６とペルチェ素子５との間に、疎水性の熱伝導部として例えば防水グリース（図示せず）を介在させておくことが好ましい。
【０００８】
熱交換部４の放熱板７は送風ケース２内に位置し、吸熱板６はミスト発生ケース１内に位置するものであり、ミスト発生ケース１内において吸熱板６の吸熱面８上に水搬送部１１を立設させている。水搬送部１１は、多孔質材であるセラミックを用いて形成される円筒形状の部材であり、その先端部１１ａは鋭利な円錐形状となっている。なお、水搬送部１１はセラミック製に限定されず、毛細管現象を生じ得る多孔質材であればよい（例えばフェルト等）。ミスト発生ケース１の、水搬送部１１の先端部１１ａとの対向側に開口させてあるミスト吐出口１２の中央部分には、リング状の対向電極１３を位置させている。この対向電極１３と吸熱板６とは高電圧印加部１４に接続されており、後述するように水搬送部１１が水を搬送する状態において該水搬送部１１の先端部１１ａと対向電極１３との間に、水搬送部１１の先端部１１ａ側がマイナス電極となるように高電圧を印加するものである。
【０００９】
送風ケース２内には、放熱板７と対向するようにモータファン１５を配しており、モータファン１５を駆動させることで送風ケース２側からミスト発生ケース１側に向けて空気の流れが発生するようになっている。送風ケース２の熱交換部配置口３の開口縁からは、放熱板７の側方を囲む筒状の隔壁１６が内方に向けて延設されており、この隔壁１６により囲まれる内部空間と送風ケース２の外部空間とを連通させる排出ダクト２２が、送風ケース２の側周壁２ａを貫通して外方に突設されている。また、送風ケース２の側周壁２ａと隔壁１６との間には所定の空隙１７を設けており、この空隙１７が、送風ケース２の熱交換部配置口３の近傍に形成した通風口１８を介してミスト発生ケース１内と連通するようになっている。なお、図中の１９は、モータファン１５とペルチェ素子５と高電圧印加部１４とに接続されて、それぞれに電源を供給する電源制御部である。
【００１０】
しかして、上記した静電霧化装置において、電源制御部１９により熱交換部４のペルチェ素子５にＤＣ電源を供給すると、ペルチェ素子５内において熱の移動が生じ、吸熱側に接続させてある吸熱板６の吸熱面８上にて空気が冷却されて結露水Ｄを生じる。本例の水搬送部１１は、略正方形状を成す吸熱面８の中央に備えてあるので、この吸熱面８に生成される結露水Ｄは該吸熱面８上を滑ることで効率良く水搬送部１１に送り込まれることとなる。このように、本例においては、吸熱面８上で空気を冷却して結露水Ｄを生成する熱交換部４が、水搬送部１１に水を供給する水供給部２０となっている。なお、水搬送部１１の設置箇所としては吸熱面８の中央に限定されず、例えば吸熱面８の外周縁部に略等間隔を隔てて複数の水搬送部１１を立設した構造としてもよい。この場合には、吸熱面８が任意方向に或る程度傾斜した状態であっても複数立設してある水搬送部１１のうち少なくとも下方に位置する水搬送部１１に結露水Ｄを送り込むことができ、ナノイオンミストＭを継続して発生させることができる。結露水Ｄを更に効率良く生成して水搬送部１１に送り込むには、吸熱面８の表面を疎水処理することや、吸熱面８の表面に水誘導用の溝（図示せず）を放射状に形成するといった、結露水Ｄを水搬送部１１に導くための導水形状を設けることが好適である。
【００１１】
水搬送部１１の基端部１１ｂにまで送り込まれた結露水Ｄは、毛細管現象によって先端部１１ａにまで搬送される。このように水搬送部１１が先端部１１ａにまで水を搬送した状態で、高電圧印加部１４により水搬送部１１の先端部１１ａ側がマイナス電極となり電荷が集中するように高電圧を印加すると、先端部１１ａに保持される水が大きなエネルギを受けてレイリー分裂を繰り返し、ナノイオンミストＭを大量に発生させる。ナノイオンミストＭは、水搬送部１１と対向して位置する対向電極１３側に放出され、ミスト発生ケース１の外部へと吐出される。ここで、水搬送部１１の先端部１１ａが鋭利に形成されている程に、電気力線が高密度に形成されて放電効率が高くなるものである。また、水搬送部１１の先端部１１ａと対向電極１３との間の距離は、電気力線が高密度に形成されてナノイオンミストＭが高効率で発生するような、適当な空間距離に設定しておく。ミスト発生ケース１の材質については、これを絶縁材料とすることが好ましいが、仮に対向電極１３等と同様の導電材料を用いる場合には、水搬送部１１とミスト発生ケース１との間に十分な空気絶縁距離を設けておく必要がある。
【００１２】
本例においては、高電圧印加部１４と接続される吸熱板６が、水搬送部１１が搬送する水に対して電圧を印加する印加電極２１の役割を成し、この印加電極２１と対向電極１３との間に高電圧印加部１４により高電圧が印加されることで、水搬送部１１の先端部１１ａに電荷が集中するようになっているが、上記構成に限らず、印加電極２１となる部材を吸熱板６とは別部材で設けてこれを水搬送部１１に接続させるようにしても構わない。なお、本例の吸熱板６と水搬送部１１と対向電極１３とは、水搬送部１１の先端部１１ａにまで水が搬送された状態でいずれも３０００Ω以下の抵抗値を示す導電体であることが要求される。
【００１３】
更に、本例の静電霧化装置において、電源制御部１９によりモータファン１５を駆動させると、前述のように送風ケース２側からミスト発生ケース１側に向けて空気の流れが発生する。ここで、本体ケース１０内における空気の流路は、図３（ａ）に矢印で示すように送風ケース２の側周壁２ａと隔壁１６との間の空隙１７を通り、通風口１８を介してミスト発生ケース１内に流入した後に外部に吐出されるミスト誘引用流路Ｒ１と、図３（ｂ）に矢印で示すように送風ケース２の隔壁１６内に流入した後に排出ダクト２２を通って外部に吐出される冷却用流路Ｒ２とに分岐して形成されている。ミスト誘引用流路Ｒ１を通る空気は、ミスト発生ケース１内にて吸熱面８近傍を通り、水搬送部１１から対向電極１３へと向かう方向に沿って外部に吐出されるものであり、この際にナノイオンミストＭを外部に向けて勢い良く誘引するようになっている。また、冷却用流路Ｒ２を通る空気は、隔壁１６内にて放熱板７の近傍を通過して放熱面９から熱を奪った後に外部に吐出され、熱交換部４の放熱性能を向上させるようになっている。即ち、本例においてはモータファン１５が、熱交換部４の吸熱面８側と放熱面９側のそれぞれに空気を送り出す送風部２３となっており、送風部２３からの空気を吸熱面８側に送り出すミスト誘引用流路Ｒ１と放熱面９側に送り出す冷却用流路Ｒ２とを別々に備えている。仮に、放熱面９側で温められて乾燥した空気が吸熱面８側に送り出されて冷却された場合には、相対湿度が上がり辛いために結露水Ｄが生じ難いが、本例のように吸熱面８側への流路Ｒ１と放熱面側への流路Ｒ２とを別流路にすることで、吸熱面８側において相対湿度が上がり易くなり、結露水Ｄが生じ易くなるものである。
【００１４】
上記した本例の静電霧化装置にあっては、モータファン１５により送り出された空気に誘引されて、１時間に２０兆個程度のナノイオンミストＭが外部に吐出され、吐出後２０分程度空気中に漂う性質を有しているので、ナノイオンミストＭの暴露による高い保湿効果や脱臭効果等の多様な効果が得られるものである。なお、ここでの脱臭効果は、ナノイオンミストＭ中に包まれるラジカルが、例えば下記の反応式のように各種の臭い成分を分解することによると推察される。
アンモニア：        ２ＮＨ３＋６・ＯＨ→Ｎ２＋６Ｈ２Ｏ
アセトアルデヒド：  ＣＨ３ＣＨＯ＋６・ＯＨ＋Ｏ２→２ＣＯ２＋５Ｈ２Ｏ
酢酸：              ＣＨ３ＣＯＯＨ＋４・ＯＨ＋Ｏ２→２ＣＯ２＋４Ｈ２Ｏ
メタンガス：        ＣＨ＋４・ＯＨ＋Ｏ２→ＣＯ２＋Ｈ２Ｏ
一酸化炭素：        ＣＯ＋２・ＯＨ→ＣＯ２＋Ｈ２Ｏ
一酸化窒素：        ２ＮＯ＋４・ＯＨ→Ｎ２＋２ＣＯ２＋２Ｈ２Ｏ
ホルムアルデヒド：  ＨＣＨＯ＋４・ＯＨ→ＣＯ２＋３Ｈ２Ｏ
しかも、本例の静電霧化装置にあっては、結露により空気中から水を採取する構造であるとともに、ミスト発生に要する水の消費量も０．５ｇ／ｈという僅かな程度で済むことから、面倒な水補給を行わずとも継続してナノイオンミストＭを発生させることができる。また、結露水Ｄは水道水のようにＣａやＭｇを含まないので水搬送部１１の先端部１１ａに付着物が生じることもなく、したがって面倒なメンテナンスを行う必要もない。更に、熱交換部４としてペルチェ素子５のような小型の半導体電子熱交換素子を用いることで装置全体が小型化されるものである。このように、本例の静電霧化装置は、室内湿度を上昇させずに高い保湿効果や脱臭効果が得られることに加えて、水補給や付着物除去の手間が不要であり、且つ、装置全体もコンパクトに形成されるものであるから、加湿器やエステスチーマーや空気清浄機等に用ることは勿論、例えばヘアドライヤー、髪質改善器具等の手持ち式電気器具や、室内照明器具、スタンド照明器具等の室内常設器具等に装備させて付加価値を得ることも容易である。
【００１５】
次に、本発明の実施の形態における第２例の静電霧化装置について図４、図５に基づいて説明するが、本例の基本的構成は既述した第１例の構成と同様であることから、第１例と一致する構成については説明を省略するとともに、第１例とは相違する特徴的な構成についてのみ以下に詳しく述べる。本例の静電霧化装置は、熱交換部４を構成する吸熱板６の吸熱面８を、中心部に向かう程に凹み量が増加するような擂り鉢凹部３０を有する凹面形状とし、この中心部に水搬送部１１を立設させたものである。上記凹面形状の吸熱面８が上方を向くように（水搬送部１１の先端部１１ａが上方を向くように）装置全体を設置し、ペルチェ素子５への電流供給により吸熱面８を冷却させると、吸熱面８の擂り鉢凹部３０上に生成された結露水Ｄは次第に大きくなり、或る程度の大きさに至れば自重により中央部分に滑り落ちて、水搬送部１１の基端部１１ｂにまで送り込まれることとなる。このように、本例の静電霧化装置においては、吸熱面８の上記凹面形状が結露水Ｄを自重により水搬送部１１に導くための導水形状となっており、この導水形状を備えることで、生成した結露水Ｄが蒸発等により減少してしまう前に水搬送部１１にまで送り込むことができ、高効率での水供給が可能となるものである。
【００１６】
次に、本発明の実施の形態における第３例の静電霧化装置について図６、図７に基づいて説明するが、本例の基本的構成は既述した第２例の構成と同様であることから、第２例と一致する構成については説明を省略するとともに、第２例とは相違する特徴的な構成についてのみ以下に詳しく述べる。本例の静電霧化装置は、吸熱面８の擂り鉢凹部３０の中心部分に、フェルト等の多孔質材を用いてリング状に形成した保水部４０を備えている。保水部４０は、水搬送部１１の基端部１１ｂに嵌合された状態で吸熱面８上に載置されるものであり、長時間に亘って水を蓄えておくことが可能になっている。したがって、吸熱面８上を中心部に向けて滑り落ちた結露水Ｄは、一旦保水部４０に蓄えられた後に水搬送部１１に供給されることとなり、例えば気温や湿度が高く水搬送部１１の先端部１１ａでミスト化される水量よりも吸熱面８上で生成される結露水Ｄの量が多い場合には余剰分を保水部４０に蓄えておき、気温や湿度が低く水搬送部１１の先端部１１ａでミスト化される水量よりも吸熱面８上で生成される結露水Ｄの量が少ない場合に、保水部４０に蓄えておいた水を水搬送部１１に供給することができる。即ち、上記のような保水部４０を備えておくことで、乾燥した昼間等の結露水Ｄが生じ難い時間帯であってもナノイオンミストＭを継続的に発生させることができるものである。
【００１７】
次に、本発明の実施の形態における第４例の静電霧化装置について図８に基づいて説明するが、本例の基本的構成は既述した第１例の構成と同様であることから、第１例と一致する構成については説明を省略するとともに、第１例とは相違する特徴的な構成についてのみ以下に詳しく述べる。本例の静電霧化装置は、熱交換部４の吸熱面８上に、フェルト等の多孔質材を用いてリング状に形成した保水部４０を備えており、保水部４０によって吸熱面８の外周縁部を覆うようになっている。加えて、上記保水部４０には、複数個の水搬送部１１をそれぞれ円周方向に略等間隔を隔てて立設している。したがって、本例の静電霧化装置においては、吸熱面８が上方を向く状態から任意方向に或る程度傾斜した姿勢で装置全体が設置された場合であっても、吸熱面８上に生成された結露水Ｄは、吸熱面８の外周縁部に備えてある保水部４０に一旦吸収される。そして、毛細管現象により保水部４０内の全体に水が行き渡るとともに、保水部４０を介して全ての水搬送部１１に水が供給されるものである。また、保水部４０を備えておくことで、乾燥した昼間等の結露水Ｄの生じ難い時間帯であってもナノイオンミストＭが継続的に発生可能であることは、第３例と同様である。
【００１８】
次に、本発明の実施の形態における第５例の静電霧化装置について図９、図１０に基づいて説明するが、本例の基本的構成は既述した第４例の構成と同様であることから、第４例と一致する構成については説明を省略するとともに、第４例とは相違する特徴的な構成についてのみ以下に詳しく述べる。本例の静電霧化装置は、熱交換部４の吸熱面８を、中心部に向かう程に突出量が増加するような円錐凸部５０を有する凸面形状とし、該吸熱面８の外周縁部に、円錐凸部５０を囲むようにリング状の保水部４０を配し、上記保水部４０に複数個の水搬送部１１をそれぞれ円周方向に略等間隔を隔てて立設している。本例の静電霧化装置においては、吸熱面８が上方を向く状態から任意方向に或る程度傾斜した姿勢で装置全体が設置された場合であっても、保水部４０を介して全ての水搬送部１１に水が供給されることは勿論、特に吸熱面８が上方を向く状態に設置された場合に、吸熱面８に生成した結露水Ｄは図１０（ｃ）に示すように円錐凸部５０の傾斜面上を滑り落ち、効率的に保水部４０及び水搬送部１１に供給されるものである。このように、本例の静電霧化装置においては、吸熱面８の上記凸面形状が結露水Ｄを自重により水搬送部１１に導くための導水形状となっている。
【００１９】
次に、本発明の実施の形態における第６例の静電霧化装置について図１１に基づいて説明するが、本例の基本的構成は既述した第２例の構成と同様であることから、第２例と一致する構成については説明を省略するとともに、第２例とは相違する特徴的な構成についてのみ以下に詳しく述べる。本例の静電霧化装置は、熱交換部４を構成する吸熱板６の吸熱面８に、フィン状を成す多数の突起６０を形成したものである。上記の突起６０を備えることで、空気と接触する吸熱面８の面積が増大して多くの結露水Ｄが生成され、したがって空気中から効率良く水が採取されるものである。突起６０としては上記のフィン状に限らず、例えば先端に角を有する微細な凸状を成すものであってもよい。この場合には、吸熱面８の面積が増大することに加えて、先端の角部分が結露の核となるので結露水Ｄが生成され易くなるという利点がある。なお、本例と同様の突起６０を、第１例や第３〜５例の静電霧化装置の吸熱面８に設けた場合にも同様の効果が得られることは勿論である。
【００２０】
次に、本発明の実施の形態における第７例の静電霧化装置について図１２に基づいて説明するが、本例の基本的構成は既述した第２例の構成と同様であることから、第２例と一致する構成については説明を省略するとともに、第２例とは相違する特徴的な構成についてのみ以下に詳しく述べる。本例の静電霧化装置は、送風ケース２から側方に突出した排出ダクト２２の外周面上に、モータ７１を用いた振動発生部７０を備えている。上記振動発生部７０は、モータ７１から突出したモータ軸７１ａに錘部７２を取付けて成る振動モータであって、錘部７２の重心とモータ軸７１ａの軸心とを適度にずらすことで、モータ７１を駆動すると錘部７２の回転によって振動を発生させるようになっている。そして、上記のように本体ケース１０に配置した振動発生部７０にて振動を発生させると、本体ケース１０内に配置された熱交換部４の吸熱面８が振動し、吸熱面８上に生成された微細な結露水Ｄが振動により結合して大きな水滴となることで、早い段階で水搬送部１１に向けて滑り落ちることとなる。即ち、本例の静電霧化装置は、振動発生部７０を備えることで結露水Ｄの採集を早めて、装置を起動した後に素早くナノイオンミストＭが発生するようにしたものである。なお、本例と同様の振動発生部７０を、第１例や第３〜６例の静電霧化装置に設けた場合にも同様の効果が得られることは勿論である。
【００２１】
次に、本発明の実施の形態における第８例の静電霧化装置について図１３に基づいて説明するが、本例の基本的構成は既述した第１例の構成と同様であることから、第１例と一致する構成については説明を省略するとともに、第１例とは相違する特徴的な構成についてのみ以下に詳しく述べる。本例の静電霧化装置は、送風部２３として熱交換部４の側方にモータファン１５を備えるとともに、このモータファン１５から送り込まれる空気の流路として、モータファン１５から水搬送部１１と対向電極１３との間のナノイオンミストＭ発生部分に送り込まれた後に外部に吐出されるミスト誘引用流路Ｒ１と、モータファン１５から放熱面９側に直接送り込まれた後に外部に吐出される冷却用流路Ｒ２と、モータファン１５から吸熱面８側に送り込まれた後に放熱面９側に送り込まれて外部に吐出される第二の冷却用流路Ｒ３とを、別々に備えている。したがって、本例の静電霧化装置においてはモータファン１５の駆動により、ミスト誘引用流路Ｒ１を通る空気によってナノイオンミストＭを勢い良く外部に吐出させることと、冷却用流路Ｒ２を通る空気によって放熱面９の熱を奪うことに加えて、第二の冷却用流路Ｒ３を通って吸熱面８側で冷却された空気を用いて放熱面９側の熱を奪うことができる。このように、吸熱面８側から放熱面９側に移動する空気によっても放熱面９から熱を奪う構造とすることで、熱交換部４での吸熱と放熱が効率よく行われることとなる。なお、本例と同様の流路を、第２〜７例の静電霧化装置に設けた場合にも同様の効果が得られることは勿論である。
【００２２】
なお、上記した第１〜８例の静電霧化装置はいずれも、熱交換部４の吸熱板６と水搬送部１１とを別体で備えた構造であるが、これに限らず、吸熱板６と水搬送部１１とを、セラミック等の毛細管現象を生じ得る多孔質材を用いて一体に形成しても構わない。この場合には、吸熱板６の吸熱面８上で生成した結露水Ｄがそのまま吸熱板６内に吸収されるとともに、該吸熱板６と一体に形成された水搬送部１１にまで毛細管現象によって効率良く送り込まれることとなる。セラミック等の材料は、吸水性が高い一方で熱伝導性は低い材料であるが、薄膜状に形成することで表面温度が低下し易く設けることできるので、吸熱板６の材料として問題なく使用可能である。
【図面の簡単な説明】
【００２３】
【図１】本発明の実施の形態における第１例の静電霧化装置を示す分解斜視図である。
【図２】同上の静電霧化装置を示しており、（ａ）は平面図、（ｂ）は側面図、（ｃ）は正面図、（ｄ）は底面図である。
【図３】同上の静電霧化装置を示しており、（ａ）は図２（ｃ）のＡ−Ａ線断面図、（ｂ）は図２（ｂ）のＢ−Ｂ線断面図である。
【図４】本発明の実施の形態における第２例の静電霧化装置を示す分解斜視図である。
【図５】同上の静電霧化装置を示しており、（ａ）は側断面図、（ｂ）は正断面図である。
【図６】本発明の実施の形態における第３例の静電霧化装置を示す分解斜視図である。
【図７】同上の静電霧化装置を示しており、（ａ）は側断面図、（ｂ）は正断面図である。
【図８】本発明の実施の形態における第４例の静電霧化装置の主要部を示しており、（ａ）は全体斜視図、（ｂ）は分解斜視図である。
【図９】本発明の実施の形態における第５例の静電霧化装置の主要部を示しており、（ａ）は全体斜視図、（ｂ）は分解斜視図である。
【図１０】同上の静電霧化装置の主要部を示しており、（ａ）は平面図、（ｂ）は正面図、（ｃ）は（ａ）のＣ−Ｃ線断面図である。
【図１１】本発明の実施の形態における第６例の静電霧化装置の主要部を示す斜視図である。
【図１２】本発明の実施の形態における第７例の静電霧化装置を示しており、（ａ）は分解斜視図、（ｂ）は正断面図である。
【図１３】本発明の実施の形態における第８例の静電霧化装置を示しており、（ａ）は側断面図、（ｂ）は正断面図である。
【符号の説明】
【００２４】
４  熱交換部
８  吸熱面
１１  水搬送部
１４  高電圧印加部      
２０  水供給部
２１  印加電極
４０  保水部
Ｄ  結露水
【図１】
2007181834.tif 000003
【図２】
2007181834.tif 000004
【図３】
2007181834.tif 000005
【図４】
2007181834.tif 000006
【図５】
2007181834.tif 000007
【図６】
2007181834.tif 000008
【図７】
2007181834.tif 000009
【図８】
2007181834.tif 000010
【図９】
2007181834.tif 000011
【図１０】
2007181834.tif 000012
【図１１】
2007181834.tif 000013
【図１２】
2007181834.tif 000014
【図１３】
2007181834.tif 000015